(57)【要約】【課題】仮止めボルトをインサートにズレなく簡単にねじ込ませてインサートを型枠に確実に取り付けるインサート取付ユニットを提供する。【解決手段】  仮止めボルト１５は、ねじ部１５ａと頭部１５ｂ間に直柱状の茎部１５ｃを形成し、その茎部とねじ部間の外周に鍔状のストッパ１６を嵌着する。一方、この仮止めボルトの他に、インサート取付時にインサート１０と仮止めボルトを同軸に位置決め保持する振れ止め治具２０を備える。振れ止め治具は、仮止めボルトのねじ部が挿通するボルト貫通穴２１ａと、そのボルト貫通穴の中心線と同軸線Ｓ上にあって長さ方向に異なる位置に、それぞれ茎部の外周形状に合わせて円弧状をなす振れ止め凹部２４・２５を上下に設けた構成にする。そして、インサートの雌ねじ孔１０ａにねじ部をねじ込んで仮止めボルトとインサートを同軸的に締結するとき、仮止めボルトを、茎部が上下の振れ止め凹部に嵌った振れ止め状態で保持する。【選択図】          図１
2005254578.tif 000002
【特許請求の範囲】
【請求項１】
コンクリート打ち前に型枠の外側から仮止めボルトを型枠のボルト挿通穴を通してインサートの雌ねじ孔にねじ込み、インサートを型枠のコンクリート打込み側に仮止めするインサート取付ユニットにおいて、
前記仮止めボルトは、先端側のねじ部と頭部間に直柱状の茎部を形成し、その茎部とねじ部間の外周に鍔状のストッパを嵌着した構成にする一方、
該仮止めボルトのほかに、前記型枠の外側のボルト挿通穴位置に取り付け、インサート仮止め時に前記インサートと前記仮止めボルトを同軸に位置決め保持する振れ止め治具を備えた構成となし、
その振れ止め治具は、前記仮止めボルトのねじ部が挿通するボルト貫通穴と、そのボルト貫通穴の中心線と同軸線上にあって長さ方向に異なる位置に、それぞれ前記茎部の外周形状に合わせて円弧状をなす振れ止め凹部を上下に設けて形成し、前記雌ねじ孔にねじ部をねじ込んで前記仮止めボルトと前記インサートを同軸的に締結するとき、該仮止めボルトを、その茎部が前記上下の振れ止め凹部に嵌った振れ止め状態で保持してなることを特徴とする、インサート取付ユニット。
【請求項２】
前記仮止めボルトは、前記ストッパにおける前記ねじ部側の板面に、一段細径な他種の仮止めボルトの軸径に径寸法を合わせた円形の拡径部を同軸に設けてなることを特徴とする、請求項１に記載のインサート取付ユニット。
【請求項３】
前記仮止めボルトは、ねじ部にコイルばねを巻装してなることを特徴とする、請求項１又は２に記載のインサート取付ユニット。
【請求項４】
コンクリート打ち前に型枠の外側から仮止めボルトを型枠のボルト挿通穴を通してインサートの雌ねじ孔にねじ込み、インサートを型枠のコンクリート打込み側に仮止めするインサート取付ユニットにおいて、
前記仮止めボルトは、先端側のねじ部と頭部間に直柱状の茎部を形成し、その茎部とねじ部間の外周に鍔状のストッパを嵌着した構成にする一方、
該仮止めボルトのほかに、前記型枠の外側のボルト挿通穴位置に取り付け、インサート仮止め時に前記インサートと前記仮止めボルトを同軸に位置決め保持する、角箱状の振れ止め治具を備えた構成となし、
その振れ止め治具は、前記型枠に取り付ける側の一側板部に前記仮止めボルトのねじ部が挿通するボルト貫通穴を設けると共に、一側板部と対向する他側板部から底板部間にわたってＬ状に前記ストッパより幅狭なボルト掛止め穴を設け、該ボルト掛止め穴に有する他側板部側の穴縁を、前記ボルト貫通穴の中心線と同軸線上において前記仮止めボルトの茎部形状に合わせて円弧状に形成してなり、
使用時、前記雌ねじ孔にねじ部をねじ込んで前記仮止めボルトと前記インサートを同軸に締結するとき、前記茎部が前記ボルト掛止め穴の前記穴縁に係止した振れ止め状態で前記仮止めボルトを保持する一方、不使用時は、前記茎部を前記ボルト掛止め穴に貫挿し前記ストッパを前記底板部に掛けて前記仮止めボルトを吊持してなることを特徴とする、インサート取付ユニット。
【発明の詳細な説明】
【技術分野】
【０００１】
本発明は、コンクリート打ち前に、型枠の外側から仮止めボルトのねじ部を型枠のボルト挿通穴を通してインサートの雌ねじ孔にねじ込み、インサートを型枠のコンクリート打込み側に取り付けるために使用する、インサート取付ユニットに関する。
【背景技術】
【０００２】
従来、インサートを型枠のコンクリート打込み側に取り付ける場合は、コンクリート打ち前に、たとえば図１４に示すように、型枠１の外側（図中右側）から、仮止めボルト２のねじ部２ａを、型枠１のボルト挿通穴１ａに通して型枠１の内側へ突出させる一方、型枠１の内側において、インサート３を持って回し、仮止めボルト２のねじ部２ａをインサート３の雌ねじ孔３ａにねじ込ませてインサート３を型枠１に締結している。
【発明の開示】
【発明が解決しようとする課題】
【０００３】
ところが、従来では、インサート３を型枠１に取り付ける場合、通常、仮止めボルト２のねじ部２ａと型枠１のボルト挿通穴１ａ間に隙間が発生するため、型枠１の内側でインサート３を持ってねじ回すときに、仮止めボルト２とインサート３とが揺れ動いて安定性が悪く、そのため、ねじ込み作業がとても厄介で、場合によっては、互いの軸心がずれた状態で無理にねじ込まれ、締め付け不十分なままインサート３が型枠１に取り付けられることもあるという課題があった。
【０００４】
そこで、本発明の目的は、仮止めボルトをインサートにズレなく簡単にねじ込ませてインサートを型枠に確実に取り付けるインサート取付ユニットを提供することにある。
【課題を解決するための手段】
【０００５】
上記した発明の目的を達成すべく、請求項１に記載の発明は、たとえば以下に示す図示実施の形態のとおり、コンクリート打ち前に型枠Ｆの外側から仮止めボルト１５を型枠Ｆのボルト挿通穴１１を通してインサート１０の雌ねじ孔１０ａにねじ込み、インサート１０を型枠Ｆのコンクリート打込み側に仮止めするインサート取付ユニットＡにおいて、前記仮止めボルト１５は、先端側のねじ部１５ａと頭部１５ｂ間に直柱状の茎部１５ｃを形成し、その茎部１５ｃとねじ部１５ａ間の外周に鍔状のストッパ１６を嵌着した構成にする一方、該仮止めボルト１５のほかに、前記型枠Ｆの外側のボルト挿通穴位置に取り付け、インサート仮止め時に前記インサート１０と前記仮止めボルト１５を同軸に位置決め保持する振れ止め治具２０を備えた構成となし、その振れ止め治具２０は、前記仮止めボルト１５のねじ部１５ａが挿通するボルト貫通穴２１ａと、そのボルト貫通穴２１ａの中心線と同軸線Ｓ上にあって長さ方向に異なる位置に、それぞれ前記茎部１５ｃの外周形状に合わせて円弧状をなす振れ止め凹部２４・２５を上下に設けて形成し、前記雌ねじ孔１０ａにねじ部１５ａをねじ込んで前記仮止めボルト１５と前記インサート１０を同軸的に締結するとき、該仮止めボルト１５を、その茎部１５ｃが前記上下の振れ止め凹部２４・２５に嵌った振れ止め状態で保持してなることを特徴とする。
【０００６】
請求項２に記載の発明は、請求項１に記載のインサート取付ユニットＡにおいて、たとえば以下に示す図示実施の形態のとおり、前記仮止めボルト１５は、前記ストッパ１６における前記ねじ部側の板面に、一段細径な他種の仮止めボルト１５´の軸径に径寸法を合わせた円形の拡径部１６ａを同軸に設けてなることを特徴とする。
【０００７】
請求項３に記載の発明は、請求項１又は２に記載のインサート取付ユニットＡにおいて、たとえば以下に示す図示実施の形態のとおり、前記仮止めボルト１５は、ねじ部１５ａにコイルばね３０を巻装してなることを特徴とする。
【０００８】
請求項４に記載の発明は、たとえば以下に示す図示実施の形態のとおり、コンクリート打ち前に型枠Ｆの外側から仮止めボルト１５を型枠Ｆのボルト挿通穴１１を通してインサートの雌ねじ孔１０ａにねじ込み、インサート１０を型枠Ｆのコンクリート打込み側に仮止めするインサート取付ユニットＡ´において、前記仮止めボルト１５は、先端側のねじ部１５ａと頭部１５ｂ間に直柱状の茎部１５ｃを形成し、その茎部１５ｃとねじ部１５ａ間の外周に鍔状のストッパ１６を嵌着した構成にする一方、該仮止めボルト１５のほかに、前記型枠Ｆの外側のボルト挿通穴位置に取り付け、インサート仮止め時に前記インサート１０と前記仮止めボルト１５を同軸に位置決め保持する、角箱状の振れ止め治具２０´を備えた構成となし、その振れ止め治具２０´は、前記型枠Ｆに取り付ける側の一側板部３５ａに前記仮止めボルト１５のねじ部１５ａが挿通するボルト貫通穴３６を設けると共に、一側板部３５ａと対向する他側板部３５ｂから底板部３５ｃ間にわたってＬ状に前記ストッパ１６より幅狭なボルト掛止め穴３７を設け、該ボルト掛止め穴３７に有する他側板部側の穴縁３７ａを、前記ボルト貫通穴３６の中心線と同軸線Ｓ上において前記仮止めボルト１５の茎部形状に合わせて円弧状に形成してなり、使用時、前記雌ねじ孔１０ａにねじ部１５ａをねじ込んで前記仮止めボルト１５と前記インサート１０を同軸に締結するとき、前記茎部１５ｃが前記ボルト掛止め穴３７の前記穴縁３７ａに係止した振れ止め状態で前記仮止めボルト１５を保持する一方、不使用時は、前記茎部１５ｃを前記ボルト掛止め穴３７に貫挿し前記ストッパ１６を前記底板部３５ｃに掛けて前記仮止めボルト１５を吊持してなることを特徴とする。
【発明の効果】
【０００９】
請求項１に記載の発明によれば、（１）インサートを回して雌ねじ孔に仮止めボルトをねじ込むときに、茎部が振れ止め治具の振れ止め凹部に嵌った振れ止め状態で仮止めボルトを保持するため、たとえ仮止めボルトと型枠のボルト挿通穴間に隙間があっても、仮止めボルトとインサートの揺れ動きを抑えて互いの軸心をずらすことなく、仮止めボルトとインサートをスムーズに螺合させることができ、その結果、仮止めボルトをインサートに簡単にねじ込ませてインサートを型枠に確実に取り付けることができる。しかも、（２）ストッパを振れ止め治具の取付板部に当てて仮止めボルトの型枠内への突出長さを規定し、これにより、仮止めボルトのインサートに対する捩じ込み深さを所定長さに簡単且つ正確に調節することができる。
【００１０】
加えて、請求項２に記載の発明によれば、軸径の異なる２種類の仮止めボルトに対しも、同じ振れ止め治具を兼用することができる
【００１１】
さらに、請求項３に記載の発明によれば、脱型時に、インサートから仮止めボルトを取り外すとき、仮止めボルトを緩める方向にねじ回すと、それに応じてコイルばねのばね付勢力が働き仮止めボルトを頭部側へ押し出す力が作用し、その押し出し力で仮止めボルトのねじ回しを助勢し、それだけ容易に螺合を解いてインサートから仮止めボルトをスムーズに取り外すことができる。
【００１２】
そして、請求項４に記載の発明によれば、（１）使用時、インサートを回して雌ねじ孔に仮止めボルトをねじ込むときに、茎部が振れ止め治具のボルト掛止め穴の穴縁に係止した振れ止め状態で仮止めボルトを保持するため、たとえ仮止めボルトと型枠のボルト挿通穴間に隙間があっても、仮止めボルトとインサートの揺れ動きを抑えて互いの軸心をずらすことなく、仮止めボルトとインサートをスムーズに螺合させることができ、その結果、仮止めボルトをインサートに簡単にねじ込ませてインサートを型枠に確実に取り付けることができる。一方、（２）仮止めボルトは、後にインサートにねじ込む使用時までは、茎部をボルト掛止め穴に貫挿しストッパを底板部に掛けて振れ止め治具で吊持するため、型枠の外側から、仮止めボルトが吊り下げ不使用状態にあるか否かを目視するだけで、型枠に対するインサートの取付状態を簡単に確認することができる。また、（３）仮止めボルトを吊り下げる不使用時は、ねじ部を振れ止め治具内に収納し、ねじ部が損傷を受けないように保護することができる。さらに（４）仮止めボルトは、ボルト掛止め穴に掛けて一体に振れ止め治具に付設しているため、紛失することがないという利点もある。
【発明を実施するための最良の形態】
【００１３】
以下、図面を参照しつつ、本発明の実施の形態について説明する。
【００１４】
図１は、コンクリート打込み前に、本発明のインサート取付ユニットを用いてインサートを型枠に取り付けた状態を示す。図中符号Ｆは、コンクリート成型用の型枠、符号１０は、型枠Ｆに取り付けるインサートであり、符号Ａが本発明のインサート取付ユニットである。型枠Ｆは、鉄板製で、インサート１０の取付位置にボルト挿通穴１１が設けられている。インサート１０は、コンクリートに対する付着強度の高い異形鉄筋を用い、その異形鉄筋に内ねじ加工を施し、穴径を軸径１６ｍｍのＭ１６ボルトに合わせた雌ねじ孔１０ａを設けてなる。
【００１５】
インサート取付ユニットＡは、仮止めボルト１５と振れ止め治具２０を備えてなる。仮止めボルト１５は、たとえばＭ１６の金属製六角ボルトで、図２（Ａ）でも示すように、先端側のねじ部１５ａと頭部１５ｂ間に、長手な直柱状の茎部１５ｃを有し、その茎部１５ｃとねじ部１５ａ間に鍔状のストッパ１６を設けてなる。ストッパ１６は、リング状の肉厚な金属製円板で、その中心穴にねじ部１５ａを通し、そのねじ部１５ａと茎部１５ｃ間の外周にスポット溶接して固着してなる。
【００１６】
振れ止め治具２０は、長手な金属厚板を用いて曲げ加工し、図１および図３に示すように、矩形な取付板部２１と、取付板部２１の図中上下端でそれぞれ略直角に屈曲し、さらにＬ板状に曲げ延びるボルト保持板部２２・２３を設けてなる。取付板部２１は、略中心に、仮止めボルト１５のねじ部１５ａが挿通するボルト貫通穴２１ａを設けている。上下のボルト保持板部２２・２３は、各々先端側の垂直曲げ板部分２２ａ・２３ａが、互いに向き合う取付板部２１と平行な向きに屈曲する一方、下ボルト保持板部２３の垂直曲げ板部分２３ａを上ボルト保持板部２２の垂直曲げ板部分２２ａより取付板部２１から離れた位置で上向きに屈曲した形状に曲げ加工してなる。これら垂直板部分２２ａ・２３ａの端縁には、仮止めボルト１５の茎部１５ｃの外周形状に合わせて、円弧状に切り欠いた振れ止め凹部２４・２５が設けられている。そして、振れ止め凹部２４・２５を、ボルト貫通穴２１ａの中心線と同軸線Ｓ上にあって長さ方向に異なる位置に形成してなる。
【００１７】
さて、上記インサート取付ユニットＡを用い、インサート１０を型枠Ｆの内側、即ち図１中左のコンクリート打込み側に取り付けるときは、コンクリートの打込み前に、振れ止め治具２０を型枠Ｆの外側に固着する。その場合、ボルト貫通穴２１ａを型枠Ｆのボルト挿通穴１１に軸心を合わせて取付板部２１をスポット溶接して型枠Ｆに振れ止め治具２０を固定する。
【００１８】
しかる後、型枠Ｆの外側において、仮止めボルト１５を、茎部１５ｃにおいて上下の振れ止め凹部２４・２５に係合して振れ止め治具２０内に挿入し、さらにねじ部１５ａを、ボルト貫通穴２１ａから型枠Ｆのボルト挿通穴１１に挿通し、ストッパ１６を取付板部２１に押し当てて止める。すると、仮止めボルト１５は、ねじ部１５ａがボルト挿通穴１１から型枠Ｆの内方へ突出する一方、茎部１５ｃが振れ止め凹部２４・２５に嵌った振れ止め状態で水平に保持される。
【００１９】
一方、型枠Ｆの内側において、インサート１０を持って雌ねじ孔１０ａに仮止めボルト１５のねじ部１５ａ先端を突き合わせてから、インサート１０を回して雌ねじ孔１０ａにねじ部１５ａをねじ込み、それら仮止めボルト１５とインサート１０を締結して型枠Ｆにインサート１０を取り付ける。
【００２０】
本発明では、この取付時、インサート１０を回して雌ねじ孔１０ａに仮止めボルト１５をねじ込むときに、仮止めボルト１５が振れ止め治具２０の振れ止め凹部２４・２５に嵌って振れ止め状態で保持されているため、たとえ仮止めボルト１５と型枠Ｆのボルト挿通穴１１間に隙間があっても、仮止めボルト１５とインサート１０の揺れ動きを抑えて互いの軸心Ｓをずらすことなく、仮止めボルト１５とインサート１０をスムーズに螺合させることができる。しかも、ストッパ１６を振れ止め治具２０の取付板部２１に当てて仮止めボルト１５側の型枠内への挿入を規制するため、仮止めボルト１５のねじ部１５ａの捩じ込み深さをインサート１０の雌ねじ孔１０ａ内で所定長さに調節することができる。
【００２１】
インサート１０の取付後は、図４に示すように、型枠Ｆの内側にコンクリートＣを打設してインサート１０を固設する。その後、脱型時、型枠Ｆの外側において、図５に示すように、仮止めボルト１５をねじ回してインサート１０の雌ねじ孔１０ａから取り外す。このときも、仮止めボルト１５は、振れ止め治具２０の振れ止め凹部２４・２５に嵌った振れ止め状態にあるため、ぶれることなくインサート１０に対しスムーズに螺合を外すことができる。
【００２２】
なお、インサート取付ユニットＡでは、取付対象のインサートに合わせて各種サイズの仮止めボルトを使用する。上記図示例では、仮止めボルト１５として、インサート１０に対応したＭ１６の六角ボルトを使用したが、取付対象が一段細径なインサートの場合は、当然それに対応させて、仮止めボルトは、一段細径な、たとえばＭ１２の六角ボルトで、図２（Ｂ）に示すように直柱状の茎部１５ｃとねじ部１５ａ間にストッパ１６を有する仮止めボルト１５´を使用する。
【００２３】
そこで、本発明のインサート取付ユニットＡでは、２種類の仮止めボルト１５・１５´を適宜取り替えて使用する一方、細径な仮止めボルト１５´を保持する振れ止め手段として、太径なＭ１６用のボルト貫通穴２１ａをあけた同じ振れ止め治具２０を、そのまま兼用する構成にすることもできる。このように２種類の仮止めボルト１５・１５´に対し上記振れ止め治具２０を兼用する場合、図６に示すように、Ｍ１２の仮止めボルト１５´には、ストッパ１６のねじ部１５ａ側における板面に、円形の拡径部１６ａを同軸的に設けた構成にする。拡径部１６ａは、その径寸法をＭ１６の仮止めボルト１５の軸径に合わせ、やや肉厚に形成してなる。
【００２４】
斯かる構成の他例では、仮止めボルト１５´を使用してインサート１０を型枠Ｆに取り付ける時、図７に示すように、振れ止め治具２０を型枠Ｆの外側でボルト挿通穴１１位置に固定して後、ねじ部１５ａをボルト貫通穴２１ａから型枠Ｆのボルト挿通穴１１に通しストッパ１６を取付板部２１に押し当てると、仮止めボルト１５´は、拡径部１６ａがボルト貫通穴２１ａに嵌合してねじ部１５ａを型枠Ｆの内方へ突出する。したがって、図示他例では、細径なＭ１２の仮止めボルト１５´を使用してインサート１０を仮止めする場合であっても、仮止めボルト１５´を、拡径部１６ａがボルト貫通穴２１ａに嵌った振れ止め状態にし、これにより、同じ振れ止め治具２０でインサート１０に対し軸心Ｓを合わせて水平に保持することができる。
【００２５】
次に、本発明のインサート取付ユニットＡでは、たとえば図８に示すように、仮止めボルト１５を、そのねじ部１５ａにコイルばね３０を巻装した構成にすることもできる。
【００２６】
斯かる他例では、インサート取付時、図９に示すように、型枠Ｆの外側において、仮止めボルト１５を、茎部１５ｃにおいて上下の振れ止め凹部２４・２５に通して振れ止め治具２０内に入れ、ねじ部１５ａをボルト貫通穴２１ａから型枠Ｆのボルト挿通穴１１に通してから、さらに押し込む。そして、ストッパ１６でコイルばね３０を圧縮しながら、ねじ部１５ａを型枠Ｆの内方へ突出させる一方、茎部１５ｃが振れ止め凹部２４・２５に嵌った振れ止め状態にして仮止めボルト１５を振れ止め治具２０で水平に保持する。
【００２７】
他方、仮止めボルト１５を押し込み状態のまま、型枠Ｆの内側にて、前述したと同様にインサート１０を回して雌ねじ孔１０ａにねじ部１５ａをねじ込み、仮止めボルト１５とインサート１０を締結して型枠Ｆにインサート１０を取り付ける。その後、コンクリートＣを打設してインサート１０を固設して後、脱型時に、インサート１０から仮止めボルト１５を取り外すとき、仮止めボルト１５を緩める方向にねじ回すと、それに応じてコイルばね３０のばね付勢力が働いて仮止めボルト１５を頭部１５ｂ側へ押し出す力が作用し、その押し出し力で仮止めボルト１５のねじ回しを助勢し、それだけ容易に互いの螺合を解いて仮止めボルト１５をインサート１０から簡単に取り外すことができる。
【００２８】
ところで、本発明は、上述した振れ止め治具２０に代えて、たとえば図１０に示すような構成の振れ止め治具２０´を備えたインサート取付ユニットＡ´を提供することもできる。なお、以下に示す実施の形態において、上記した図示例の構成部分に相当する部位には、同一符合を付して説明する。
【００２９】
この他例の振れ止め治具２０´は、全体に両端開放型の四角い箱状に成形され、型枠Ｆに取り付ける側の一側板部３５ａに仮止めボルト１５のねじ部１５ａが挿通するボルト貫通穴３６を設ける一方、反対の他側板部３５ｂから底板部３５ｃ間にわたってＬ状に切り欠いてボルト掛止め穴３７を設けてなる。ボルト掛止め穴３７は、仮止めボルト１５のストッパ１６より幅狭な長穴で形成し、他側板部３５ｂ側に形成される穴縁３７ａを、ボルト貫通穴３６と同軸線Ｓ上において仮止めボルト１５の茎部１５ｃの外周形状に合わせて円弧状に成形してなる。
【００３０】
斯かる形状の振れ止め治具２０´には、予め仮止めボルト１５が付設されている。その場合、仮止めボルト１５は、先端側のねじ部１５ａをボルト掛止め穴３７に通して振れ止め治具２０´内に挿入し、さらに振れ止め治具２０´内でねじ部１５ａをストッパ１６の中心穴に通して茎部１５ｃとの間の外周にストッパ１６をスポット溶接して固着する。そして、仮止めボルト１５を、ストッパ１６で掛け止めてボルト掛止め穴３７から脱落しないように振れ止め治具２０´に付設する。
【００３１】
そこで、図示他例では、インサート取付時、振れ止め治具２０´は、図１１に示すように、ボルト貫通穴３６を型枠Ｆのボルト挿通穴１１に軸心を合わせて一側板部３５ａをスポット溶接して型枠Ｆに固定する。そのとき、付属の仮止めボルト１５は、後にインサート１０にねじ込む使用時までは、茎部１５ｃをボルト掛止め穴３７に貫挿し、ストッパ１６を底板部３５ｃに掛けて吊持する。これにより、図１２に示すように、型枠Ｆの外側から、仮止めボルト１５が吊り下げ不使用状態にあるか否かを目視するだけで、型枠Ｆに対するインサート１０の取付状態を簡単に確認することができる。また、仮止めボルト１５を吊り下げる不使用時は、ねじ部１５ａを振れ止め治具２０´内に収納し、それが損傷を受けないように格納状態に置いて保護している。
【００３２】
さて、図示他例において、使用時、仮止めボルト１５をインサート１０にねじ込むときは、図１３に示すように、頭部１５ｂを起こして茎部１５ｃをボルト掛止め穴３７の穴縁３７ａに係合させながら、ねじ部１５ａをボルト貫通穴２１ａから型枠Ｆのボルト挿通穴１１に通し、ストッパ１６を一側板部３５ａに押し当ててねじ部１５ａを型枠Ｆの内方へ突出させる一方、茎部１５ｃをボルト掛止め穴３７の穴縁３７ａに係止した振れ止め状態にして仮止めボルト１５を振れ止め治具２０´で水平に保持する。
【００３３】
他方、型枠Ｆの内側において、前述したと同様に、インサート１０を回して雌ねじ孔１０ａにねじ部１５ａをねじ込むと、それら仮止めボルト１５とインサート１０をズレなく同軸的に締結して型枠Ｆにインサート１０を取り付けることができる。
【００３４】
なお、図示他例のインサート取付ユニットＡ´では、前記したインサート取付ユニットＡの場合と同様に、軸径の異なる２種類の仮止めボルトに対し同じ振れ止め治具２０´を兼用できるように、細径な仮止めボルト側に、ストッパ１６と同軸に拡径部１６ａを設ける構成にすることもできる。また、仮止めボルト１５をインサート１０から取り外しやすくするために、仮止めボルトのねじ部１５ａに、前記のようなコイルばねを巻装した構成にすることもできるのは、勿論である。
【図面の簡単な説明】
【００３５】
【図１】コンクリート打込み前に本発明のインサート取付ユニットを用いてインサートを型枠に取り付けた状態を示す側面図である。
【図２】（Ａ）はＭ１６の仮止めボルト、（Ｂ）はＭ１２の仮止めボルトを示す側面図である。
【図３】（Ａ）振れ止め治具を示す正面図、（Ｂ）は側面図、（Ｃ）は背面図である。
【図４】インサート取付ユニットを用いインサートを型枠に取り付けてコンクリート打込み後の状態を示す側面図である。
【図５】脱型時にインサートから仮止めボルトを外した状態を示す側面図である。
【図６】ストッパに拡径部を有するＭ１２の仮止めボルトを示す側面図である。
【図７】その仮止めボルトを備えたインサート取付ユニットを用いてインサートを型枠に取り付けた状態を示す縦断面図である。
【図８】ねじ部にコイルばねを巻装したＭ１６の仮止めボルトを示す側面図である。
【図９】その仮止めボルトを備えたインサート取付ユニットを用いインサートを型枠に取り付けてコンクリート打込み後の状態を示す側面図である。
【図１０】他例の振れ止め治具を示す斜視図である。
【図１１】他例の振れ止め治具を備えたインサート取付ユニットを用いインサートを型枠に取り付ける前の不使用状態を示す側面図である。
【図１２】その不使用状態を拡大して示す斜視図である。
【図１３】他例の振れ止め治具を備えたインサート取付ユニットを用いてインサートを型枠に取り付けた状態を示す縦断面図である。
【図１４】インサートを型枠に取り付けた従来例を示す縦断面図である。
【符号の説明】
【００３６】
Ａ・Ａ´      インサート取付ユニット
Ｆ            型枠
Ｓ            軸線
１０          インサート
１０ａ        雌ねじ孔
１１・３６    ボルト挿通穴
１５・１５´  仮止めボルト
１５ａ        ねじ部
１５ｃ        茎部
１６          ストッパ
１６ａ        拡径部
２０・２０´  振れ止め治具
２１          取付板部
２１ａ        ボルト貫通穴
２４・２５    振れ止め凹部
３０          コイルばね
３５ａ        一側板部
３５ｂ        他側板部
３５ｃ        底板部
３７          ボルト掛止め穴
【図１】
2005254578.tif 000003
【図２】
2005254578.tif 000004
【図３】
2005254578.tif 000005
【図４】
2005254578.tif 000006
【図５】
2005254578.tif 000007
【図６】
2005254578.tif 000008
【図７】
2005254578.tif 000009
【図８】
2005254578.tif 000010
【図９】
2005254578.tif 000011
【図１０】
2005254578.tif 000012
【図１１】
2005254578.tif 000013
【図１２】
2005254578.tif 000014
【図１３】
2005254578.tif 000015
【図１４】
2005254578.tif 000016